(57)【要約】      （修正有）【課題】スラブを設定するためのパラメータを容易に調整できるようにする技術を提供する。【解決手段】ＭＲ装置は、複数のスラブの各々に含まれる複数のスライスの枚数ＮＳと、スライスのスライス厚ＳＴとを入力する操作部と、操作部により入力された複数のスライスの枚数ＮＳおよびスライス厚ＳＴに基づいて、複数のスラブを設定する設定手段とを有する。設定手段は、操作部からスライスの枚数ＮＳを変更するための情報が入力された場合、スラブ厚が変化しないようにスライス厚ＳＴを変更する。【選択図】図９
2015139679.tif 000002
【特許請求の範囲】
【請求項１】
複数のスラブを設定するスラブ設定装置であって、
前記複数のスラブの各々に含まれる複数のスライスの枚数と、前記スライスのスライス厚とに基づいて、前記複数のスラブを設定する設定手段を有し、
前記設定手段は、
前記複数のスライスの枚数が変更された場合、前記スラブのスラブ厚が変化しないように前記スライス厚を変更する、スラブ設定装置。
【請求項２】
オペレータによって操作される操作部であって、前記複数のスライスの枚数と前記スライス厚とを入力する操作部を有する、請求項１に記載のスラブ設定装置。
【請求項３】
前記設定手段は、
前記操作部から、前記複数のスライスの枚数を変更するための情報が入力された場合、前記スラブ厚が変化しないように前記スライス厚を変更する、請求項２に記載のスラブ設定装置。
【請求項４】
前記操作部は、前記複数のスライスのうちの互いに隣り合うスライスの間でオーバーラップするスライスの枚数を入力する、請求項３に記載のスラブ設定装置。
【請求項５】
前記設定手段は、
前記操作部から前記複数のスライスの枚数を変更するための情報が入力された場合、前記オーバーラップするスライスの枚数と前記複数のスライスの枚数との比が変化しないように、前記スライス厚を変更する、請求項４に記載のスラブ設定装置。
【請求項６】
請求項１〜５のうちのいずれか一項に記載のスラブ設定装置を有する磁気共鳴装置。
【請求項７】
複数のスラブを設定するスラブ設定装置に適用されるプログラムであって、
前記複数のスラブの各々に含まれる複数のスライスの枚数と、前記スライスのスライス厚とに基づいて、前記複数のスラブを設定する設定処理であって、前記複数のスライスの枚数が変更された場合、前記スラブのスラブ厚が変化しないように前記スライス厚を変更する設定処理、
を計算機に実行させるためのプログラム。
【発明の詳細な説明】
【技術分野】
【０００１】
本発明は、スラブを設定するスラブ設定装置、当該スラブ設定装置を有する磁気共鳴装置、および当該スラブ設定装置に適用されるプログラムに関する。
【背景技術】
【０００２】
造影剤を用いずに血流を撮影するＭＲＡ（ＭＲ angiography）法として、血液の流入効果を利用したＴＯＦ（time-of-flight）法が知られている。
【０００３】
ＴＯＦ法には、２次元法（２Ｄ−ＴＯＦ法）と、３次元法（３Ｄ−ＴＯＦ法）とがある。２Ｄ−ＴＯＦ法は、流速が比較的遅い血液を描出するのに適しているが、スライス方向の分解能が低いという問題がある。これに対し、３Ｄ−ＴＯＦ法は、スラブを設定し、スラブを３Ｄイメージング法で撮影するので、スライス方向の分解能を高くすることができるというメリットがあり、頭部の血管の撮影に主に使用されている。
【０００４】
しかし、３Ｄ−ＴＯＦ法では、スラブをある程度の厚さに設定する必要があるので、血流信号が飽和しやすいという欠点がある。この欠点を解消する方法として、マルチスラブを用いた３Ｄ−ＴＯＦ法が知られている（特許文献１参照）。
【先行技術文献】
【特許文献】
【０００５】
【特許文献１】特開２００２−２５３５２７号公報
【発明の概要】
【発明が解決しようとする課題】
【０００６】
マルチスラブ３Ｄ−ＴＯＦ法では、オペレータは、複数のスラブを設定するために必要な情報（例えば、１個のスラブに含まれるスライスの枚数、スライス厚、スラブの個数）を入力する。
【０００７】
これらの情報を入力することにより、複数のスラブが設定される。オペレータは、複数のスラブを設定した後、スラブの設定条件を変更する必要があるか否かを判断する。スラブの設定条件を変更する必要がないと判断した場合、マルチスラブ３Ｄ−ＴＯＦ法によるスキャンが実行される。
【０００８】
しかし、オペレータは、マルチスラブ３Ｄ−ＴＯＦ法によるスキャンを実行する前に、スラブの設定条件を変更したいと考える場合がある。例えば、オペレータが、マルチスラブ３Ｄ−ＴＯＦ法によるスキャンを実行する前にスキャン時間を確認したところ、スキャン時間が予想以上に長い場合は、スキャン時間を短くするために、スライス枚数を減らしたいと考えることがある。しかし、スライス枚数を変更すると、それに応じてスラブ厚が変化してしまい、オペレータが当初考えていた撮影領域の範囲で撮影をすることができないという問題がある。したがって、撮影領域の範囲を変化させたくない場合、オペレータは、スライス枚数だけでなく、スライス厚などの他のパラメータも調整する必要があり、パラメータの調整に時間が掛かるという問題がある。
【０００９】
このような理由から、スラブを設定するためのパラメータを変更しても、撮影領域の範囲ができるだけ変化しないようにする技術が望まれている。
【課題を解決するための手段】
【００１０】
本発明の第１の観点は、複数のスラブを設定するスラブ設定装置であって、
前記複数のスラブの各々に含まれる複数のスライスの枚数と、前記スライスのスライス厚とに基づいて、前記複数のスラブを設定する設定手段を有し、
前記設定手段は、
前記複数のスライスの枚数が変更された場合、前記スラブのスラブ厚が変化しないように前記スライス厚を変更する、スラブ設定装置である。
【００１１】
本発明の第２の観点は、上記のスラブ設定装置を有する磁気共鳴装置である。
【００１２】
本発明の第３の観点は、複数のスラブを設定するスラブ設定装置に適用されるプログラムであって、
前記複数のスラブの各々に含まれる複数のスライスの枚数と、前記スライスのスライス厚とに基づいて、前記複数のスラブを設定する設定処理であって、前記複数のスライスの枚数が変更された場合、前記スラブのスラブ厚が変化しないように前記スライス厚を変更する設定処理、
を計算機に実行させるためのプログラムである。
【発明の効果】
【００１３】
複数のスライスの枚数が変更された場合、スラブ厚が変化しないようにスライス厚が変更されるので、撮影領域の範囲が変化しないようにする（又は撮影領域の範囲ができるだけ変化しないようにする）ことができる。
【図面の簡単な説明】
【００１４】
【図１】本発明の本形態の磁気共鳴装置の概略図である。
【図２】プロセッサ８が実行する処理の説明図である。
【図３】本形態で実行されるスキャンを示す図である。
【図４】図３のスキャンを実行するときのフローを示す図である。
【図５】サジタル画像ＳＡを概略的に示す図である。
【図６】複数のスラブの一例を示す図である。
【図７】スラブａおよびｂの説明図である。
【図８】スライス枚数をＮＳ＝１０枚からＮＳ＝５枚に減らした場合に、スラブがどのように変化するかを示す一例を説明するための図である。
【図９】再設定されたスラブａ´およびｂ´を示す図である。
【図１０】スライス枚数ＮＳを１０枚から８枚に変更した場合のスラブａ´およびｂ´を示す図である。
【発明を実施するための形態】
【００１５】
以下、発明を実施するための形態について説明するが、本発明は、以下の形態に限定されることはない。
【００１６】
図１は、本発明の本形態の磁気共鳴装置の概略図である。
磁気共鳴装置（以下、「ＭＲ装置」と呼ぶ。ＭＲ：Magnetic Resonance）１００は、マグネット２、テーブル３、受信コイル４などを有している。
【００１７】
マグネット２は、被検体１２が収容されるボア２１を有している。また、マグネット２は、超伝導コイル、勾配コイル、およびＲＦコイルなどが内蔵されている。
【００１８】
テーブル３は、被検体１２を支持するクレードル３ａを有している。クレードル３ａは、ボア２１内に移動できるように構成されている。クレードル３ａによって、被検体１２はボア２１に搬送される。
【００１９】
受信コイル４は、被検体１２の頭部に取り付けられている。受信コイル４は、被検体１２からの磁気共鳴信号を受信する。
【００２０】
ＭＲ装置１００は、更に、送信器５、勾配磁場電源６、受信器７、プロセッサ８、メモリ９、操作部１０、および表示部１１などを有している。
【００２１】
送信器５はＲＦコイルに電流を供給し、勾配磁場電源６は勾配コイルに電流を供給する。
受信器７は、受信コイル４から受け取った信号に対して、検波などの信号処理を実行する。
【００２２】
プロセッサ８は、表示部１１に必要な情報を伝送したり、受信コイル４から受け取ったデータに基づいて画像を再構成するなど、ＭＲ装置１００の各種の動作を実現するように、ＭＲ装置１００の各部の動作を制御する。メモリ９には、プロセッサ８により実行されるプログラムなどが記憶されている。プロセッサ８は、メモリ９に記憶されているプログラムを読み出し、プログラムに記述されている処理を実行する。図２に、プロセッサ８が実行する処理を示す。プログラムには、後述する操作部１０から入力される情報に基づいて複数のスラブを設定する設定処理などが記述されている。プロセッサ８は、プログラムを読み出すことにより、プログラムに記述されている設定処理を実行するための設定手段８１を構成する。この設定処理については、後で詳しく説明する。
【００２３】
操作部１０は、オペレータにより操作され、種々の情報をプロセッサ８に入力する。表示部１１は種々の情報を表示する。
ＭＲ装置１００は、上記のように構成されている。
【００２４】
図３は本形態で実行されるスキャンを示す図である。
本形態では、ローカライザスキャンＬＳと本スキャンＭＳなどが実行される。
【００２５】
ローカライザスキャンＬＳは、スラブを設定するときに使用される画像を取得するためのスキャンである。
本スキャンＭＳはマルチスラブ３Ｄ−ＴＯＦ法により血流画像を取得するスキャンである。
以下、図３のスキャンを実行するときのフローについて説明する。
【００２６】
図４は、図３のスキャンを実行するときのフローを示す図である。
ステップＳ１では、ローカライザスキャンＬＳが実行される。ローカライザスキャンＬＳを実行することにより、アキシャル画像、サジタル画像、コロナル画像が取得される。図５に、ローカライザスキャンＬＳにより取得された画像の一例として、サジタル画像ＳＡが概略的に示されている。ローカライザスキャンＬＳを実行した後、ステップＳ２に進む。
【００２７】
ステップＳ２では、オペレータは、ローカライザスキャンＬＳにより取得された画像を参考にして、被検体の頭部にスラブを設定するために必要な情報を入力する。例えば、以下の情報を入力する。
（１）１個のスラブに含まれるスライス枚数ＮＳ
（２）スライス厚ＳＴ
（３）スラブの個数Ｖ
（４）隣り合うスラブ間でオーバーラップするスライス枚数（オーバーラップ数）ＮＯ
（５）スラブの位置
【００２８】
これらの情報は、例えば、グラフィックツールを用いて入力することができる。設定手段８１は、上記の情報（１）〜（５）に基づいてスラブを設定する。図６に、設定された複数のスラブの一例を示す図である。図６には、２個のスラブａおよびｂが設定された例が示されている。
【００２９】
図６の上側には、頭部に設定されたスラブａおよびｂが示されており、図６の下側にはスラブａおよびｂの拡大図が示されている。尚、図６の上側のスラブａおよびｂは縦長で示されているが、図６の下側のスラブａおよびｂは、説明の便宜上、略正方形で示してある。
【００３０】
スラブａおよびｂは、スラブの繋ぎ目における信号強度の段差を小さくするため、一部の領域Ｒ０がオーバーラップするように設定されている。
【００３１】
図７は、スラブａおよびｂの詳細説明図である。図７の上側には、スラブａおよびｂが一部重なった状態で示されており、図７の下側には、スラブａおよびｂがＡＰ（Anterior-Posterior）方向にずらした状態で示されている。
【００３２】
図７では、１個のスラブに含まれるスライス枚数ＮＳ＝１０枚、スライス厚ＳＴ＝５ｍｍ、スラブの個数Ｖ＝２に設定されている。また、スラブａおよびｂのオーバーラップ領域Ｒ０のオーバーラップ数ＮＯは、ＮＯ＝４に設定されている。
上記の情報を入力した後、ステップＳ３に進む。
【００３３】
ステップＳ３では、オペレータは、スラブの設定条件を変更する必要があるか否かを判断する。スラブの設定条件を変更する必要がないと判断した場合、ステップＳ６に進み、図７に示すスラブａおよびｂに従って本スキャンＭＳが実行される。
【００３４】
しかし、オペレータは、本スキャンＭＳを実行する前に、スラブの設定条件を変更したいと考える場合がある。例えば、オペレータが、本スキャンＭＳを実行する前にスキャン時間を確認したところ、スキャン時間が予想以上に長い場合は、スキャン時間を短くするために、スライス枚数ＮＳを減らしたいと考えることがある。この場合、ステップＳ４に進む。
【００３５】
ステップＳ４では、オペレータは、ステップＳ２で入力した条件を変更する。ここでは、オペレータは、スキャン時間を短くするために、スライス枚数ＮＳを、ＮＳ＝１０枚からＮＳ＝５枚に変更するとする。オペレータは、操作部１０を操作し、スライス枚数ＮＳを、ＮＳ＝１０枚からＮＳ＝５枚に変更するための情報を入力する。この情報が入力されることにより、スライス枚数ＮＳを、ＮＳ＝１０枚からＮＳ＝５枚に変更することができる。図８は、スライス枚数をＮＳ＝１０枚からＮＳ＝５枚に減らした場合に、スラブがどのように変化するかを示す一例を説明するための図である。
【００３６】
図８（ａ）は、ＮＳ＝１０枚のときのスラブａおよびｂを示し、図８（ｂ）は、ＮＳ＝５枚のときのスラブａ´およびｂ´を示している。
【００３７】
図８では、スライス枚数が減った分だけスラブ厚が薄くなっている。具体的には、ＮＳ＝１０枚では（図８（ａ）参照）、スラブａおよびｂのスラブ厚Ｔは、Ｔ＝５（ｍｍ）×１０（枚）＝５０ｍｍであるが、ＮＳ＝５枚では（図８（ｂ）参照）、スラブａ´およびｂ´のスラブ厚Ｔ´は、Ｔ´＝５（ｍｍ）×５（枚）＝２５ｍｍに変更されている。したがって、スラブ厚は半分になるので、図８（ｂ）のスラブａ´およびｂ´により規定される撮影領域の範囲Ｒ２は、図８（ａ）における撮影領域の範囲Ｒ１よりも狭くなる。このため、図８（ｂ）のスラブａ´およびｂ´では、オペレータが当初考えていた撮影領域の範囲Ｒ１で撮影をすることができないという問題がある。
【００３８】
また、図８（ａ）では、１個のスラブに含まれるスライス枚数ＮＳ＝１０枚に対して、オーバーラップ数ＮＯ＝４枚であるので、ＮＯとＮＳとの比ＮＯ／ＮＳは、以下の値となる。
ＮＯ／ＮＳ＝４／１０＝２／５  ・・・（１）
【００３９】
一方、図８（ｂ）では、１個のスラブに含まれるスライス枚数ＮＳ＝５に対して、オーバーラップ数ＮＯ＝４枚であるので、比ＮＯ／ＮＳは、以下の値となる。
ＮＯ／ＮＳ＝４／５  ・・・（２）
【００４０】
したがって、式（１）および（２）から、スライス枚数を変更することにより、比ＮＯ／ＮＳの値が２倍になることがわかる。比ＮＯ／ＮＳの値は画質に影響を与えるので、比ＮＯ／ＮＳの値が２倍になってしまうと、画質が劣化することも考えられる。
【００４１】
そこで、本形態では、ステップＳ４においてスライス枚数が変更された場合、撮影領域の範囲の変化や画質の劣化ができるだけ生じないようにするため、ステップＳ５が設けられている。以下に、ステップＳ５について説明する。
【００４２】
ステップＳ５では、設定手段８１が、スライス厚およびオーバーラップ数を変更する。以下に、スライス厚およびオーバーラップ数をどのようにして変更するかについて説明する。
【００４３】
設定手段８１は、先ず、以下の式（３）を用いてスライス厚を変更する。
ＳＴ２＝ＳＴ１＊（ＮＳ１／ＮＳ２）  ・・・（３）
ここで、ＮＳ１：変更前のスライス枚数
ＮＳ２：変更後のスライス枚数
ＳＴ１：スライス枚数を変更する前のスライス厚
ＳＴ２：スライス枚数を変更した後のスライス厚
【００４４】
本形態では、変更前のスライス枚数はＮＳ１＝１０枚であり、変更後のスライス枚数はＮＳ２＝５枚である。また、スライス枚数を変更する前のスライス厚はＳＴ１＝５ｍｍである。したがって、スライス枚数を変更した後のスライス厚ＳＴ２は以下の値となる。
ＳＴ２＝５＊（１０／５）
＝１０（ｍｍ）    ・・・（４）
【００４５】
スライス厚を変更した後、設定手段８１は、以下の式（５）を用いてオーバーラップ数を変更する。
ＮＯ２＝ＮＯ１＊（ＳＴ１／ＳＴ２）  ・・・（５）
ここで、ＳＴ１：スライス枚数を変更する前のスライス厚
ＳＴ２：スライス枚数を変更した後のスライス厚
ＮＯ１：スライス枚数を変更する前のオーバーラップ数
ＮＯ２：スライス枚数を変更した後のオーバーラップ数
【００４６】
本形態では、スライス枚数を変更する前のスライス厚はＳＴ１＝５ｍｍである。また、スライス枚数を変更した後のスライス厚はＳＴ２＝１０（ｍｍ）である（式（４）参照）。更に、スライス枚数を変更する前のオーバーラップ数はＮＯ１＝４である。したがって、スライス枚数を変更した後のオーバーラップ数ＮＯ２は、以下の値となる。
ＮＯ２＝４＊（５／１０）
＝２              ・・・（６）
【００４７】
したがって、スライス枚数を変更することによって、スライス厚はＳＴ１＝５ｍｍからＳＴ２＝１０ｍｍに変更され、オーバーラップ数はＮＯ１＝４からＮＯ２＝２に変更される。設定手段８１は、変更された値（スライス枚数５枚、スライス厚１０ｍｍ、およびオーバーラップ数２枚）に基づいて、スラブａおよびｂを再設定する。図９に再設定されたスラブａ´およびｂ´を示す。
【００４８】
図９（ａ）は、スライス枚数、スライス厚、およびオーバーラップ数を変更する前のスラブａおよびｂを示し、図９（ｂ）はスライス枚数、スライス厚、およびオーバーラップ数を変更することにより再設定されたスラブａ´およびｂ´を示す。
【００４９】
図９（ａ）では、スラブ厚Ｔは、Ｔ＝５（ｍｍ）×１０（枚）＝５０ｍｍであり、一方、図９（ｂ）では、スラブ厚Ｔ´は、Ｔ´＝１０（ｍｍ）×５（枚）＝５０ｍｍである。したがって、スライス枚数を減らしても、式（３）を用いてスライス厚を変更することによりスラブ厚を保持することができる。
【００５０】
また、図９（ａ）では、１個のスラブに含まれるスライス枚数ＮＳ＝１０に対して、オーバーラップ数Ｎ０＝４であるので、ＮＯとＮＳとの比Ｎ０／Ｎは、以下の値となる。
ＮＯ／ＮＳ＝４／１０＝２／５  ・・・（７）
【００５１】
一方、図９（ｂ）では、１個のスラブに含まれるスライス枚数ＮＳ＝５に対して、オーバーラップ数ＮＯ＝２であるので、比ＮＯ／ＮＳは、以下の値となる。
ＮＯ／ＮＳ＝２／５  ・・・（８）
【００５２】
式（７）および（８）を比較すると、スライス枚数を変化しても、比ＮＯ／ＮＳは保持されることがわかる。
【００５３】
したがって、スライス枚数が変化しても、式（３）および（５）を用いてスライス厚およびオーバーラップ数を変更することによって、撮影領域の範囲Ｒ２を撮影領域の範囲Ｒ１と同じ範囲に保持することができる。また、比Ｎ０／ＮＳも保持されるので、画質の劣化ができるだけ生じないようにすることもできる。
【００５４】
スライス厚を１０ｍｍに変更し、更にオーバーラップ数を２枚に変更した後、ステップＳ６に進み、本スキャンを実行する。このようにして、フローが終了する。
【００５５】
本形態では、上記のように、オペレータがスライス枚数を変更した場合、設定手段８１は、式（３）および（５）を用いてスライス厚およびオーバーラップ数を変更する。したがって、スライス枚数が変更されても、スラブ厚Ｔ´はスラブ厚Ｔと同じ値に保持され、撮影領域の範囲Ｒ２を撮影領域の範囲Ｒ１と同じ範囲に保持することができる。また、比Ｎ０／ＮＳも保持されるので、画質の劣化ができるだけ生じないようにすることもできる。
【００５６】
尚、上記の例では、スライス枚数ＮＳを１０枚から５枚に変更した場合について説明されているが、以下に、スライス枚数ＮＳを１０枚から８枚に変更した場合について考察する。この場合、式（３）のスライス厚ＳＴ２は、以下の値となる。
ＳＴ２＝ＳＴ１＊（ＮＳ１／ＮＳ２）
＝５＊（１０／８）
＝６．２５（ｍｍ）    ・・・（９）
【００５７】
したがって、式（５）のオーバーラップ数ＮＯ２は、以下の値となる。
ＮＯ２＝ＮＯ１＊（ＳＴ１／ＳＴ２）
＝４＊（５／６．２５）
＝３．２              ・・・（１０）
【００５８】
したがって、オーバーラップ数は、ＮＯ２＝３．２と算出される。しかし、オーバーラップ数は整数でなければならないので、式（１０）のように、オーバーラップ数が整数の値として算出されなかった場合は、小数第１位以下を四捨五入、切捨て、又は切上げすればよい。例えば、小数第１位以下を四捨五入した場合、ＮＯ２＝３となる。したがって、設定手段８１は、変更された値（スライス枚数８枚、スライス厚６．２５ｍｍ、およびオーバーラップ数３枚）に基づいて、スラブａおよびｂを再設定する。図１０に再設定されたスラブａ´およびｂ´を示す。
【００５９】
図１０（ａ）は、スライス枚数、スライス厚、およびオーバーラップ数を変更する前のスラブａおよびｂを示し、図１０（ｂ）はスライス枚数、スライス厚、およびオーバーラップ数を変更することにより再設定されたスラブａ´およびｂ´を示す。
【００６０】
図１０（ａ）では、スラブ厚Ｔは、Ｔ＝５（ｍｍ）×１０（枚）＝５０ｍｍであり、一方、図１０（ｂ）では、スラブ厚Ｔ´は、Ｔ´＝６．２５（ｍｍ）×８（枚）＝５０ｍｍである。したがって、スライス枚数を減らしても、式（３）を用いてスライス厚を変更することによりスラブ厚を保持することができる。
【００６１】
尚、図１０では、撮影領域の範囲Ｒ２は、撮影領域の範囲Ｒ１よりも、ΔＲだけ広がっている。しかし、ΔＲの値はスライス厚ＳＴよりも十分に小さいので、スライス枚数を１０枚から８枚に変更しても、撮影領域の範囲Ｒ２を撮影領域の範囲Ｒ１とほとんど変わらないようにすることができる。
【００６２】
また、図１０（ａ）では、１個のスラブに含まれるスライス枚数ＮＳ＝１０に対して、オーバーラップ数Ｎ０＝４であるので、ＮＯとＮＳとの比Ｎ０／Ｎは、以下の値となる。
ＮＯ／ＮＳ＝４／１０＝２／５  ・・・（１１）
【００６３】
一方、図１０（ｂ）では、１個のスラブに含まれるスライス枚数ＮＳ＝８に対して、オーバーラップ数ＮＯ＝３であるので、比ＮＯ／ＮＳは、以下の値となる。
ＮＯ／ＮＳ＝３／８  ・・・（１２）
【００６４】
したがって、式（１１）と式（１２）との間には、以下の式で表される差ΔＤが生じている。
ΔＤ＝（２／５）−（３／８）
＝０．０２５              ・・・（１３）
【００６５】
しかし、ΔＤの値（０．０２５）は十分に小さいと考えることができるので、ＮＯ／ＮＳがΔＤだけ増加しても、画質の劣化は十分に小さいと考えられる。
【００６６】
尚、本形態では、スラブが２個設定された例が示されている。しかし、本発明は、２個のスラブを設定する場合に限定されることはなく、３個以上のスラブを設定する場合にも適用することができる。
【００６７】
また、本形態では、スライス枚数を１０枚から５枚（８枚）に減らした場合について説明されている。しかし、本発明は、スライス枚数を減らす場合に限定されることはなく、スライス枚数を増やした場合にも適用することができる。スライス枚数を増やした場合は、スラブ厚が変化しないようにスライス厚が小さくなる。したがって、スライス枚数が増えた場合にも、撮影領域の範囲が変化しないようにする（又は撮影領域の範囲ができるだけ変化しないようにする）ことができる。
【００６８】
また、本形態では、隣り合うスラブがオーバーラップする場合について説明されている。しかし、本発明は、隣り合うスラブがオーバーラップしない場合にも適用することができる。
【符号の説明】
【００６９】
２  マグネット
３  テーブル
３ａ  クレードル
４  受信コイル
５  送信器
６  勾配磁場電源
７  受信器
８  プロセッサ
９  メモリ
１０  操作部
１１  表示部
１２  被検体
２１  ボア
１００  ＭＲ装置
【図１】
2015139679.tif 000003
【図２】
2015139679.tif 000004
【図３】
2015139679.tif 000005
【図４】
2015139679.tif 000006
【図５】
2015139679.tif 000007
【図６】
2015139679.tif 000008
【図７】
2015139679.tif 000009
【図８】
2015139679.tif 000010
【図９】
2015139679.tif 000011
【図１０】
2015139679.tif 000012